(57)【要約】  いくつかの実施形態は、一貫性のあるクラブギャッピングのために構成されたゴルフクラブのシャフトのセットを含む。関係するゴルフクラブのシャフトおよびゴルフクラブ、ならびに関係する方法に対する他の実施形態も開示されている。
2016523683.tif 000002
【特許請求の範囲】
【請求項１】
ゴルフクラブのためのシャフトのセットであって、
異なるロフト角を有するアイアンタイプ、ウェッジタイプ、またはハイブリッドタイプのゴルフクラブのためにそれぞれ構成された２つ以上のシャフトを備え、
シャフトのセットの各シャフトは、長い本体、先端、基端、中点、および重心を備え、
長い本体は、先端と基端との間に延在し、
重心は、中点から第１の距離に配置され、
第１の距離は、中点から基端までの第２の距離の約６．０％以上であり、
重心は、先端よりも基端に近い位置に配置されるゴルフクラブのためのシャフトのセット。
【請求項２】
２つ以上のシャフトは、それぞれ異なるロフト角を有する３つ以上のシャフトを含む請求項１に記載のゴルフクラブのためのシャフトのセット。
【請求項３】
各シャフトについて、第１の距離は、第２の距離の約９．０％以上である請求項１または２に記載のゴルフクラブのためのシャフトのセット。
【請求項４】
各シャフトについて、第１の距離は、第２の距離の約１１．０％以上である請求項１、から３のいずれか一項に記載のゴルフクラブのためのシャフトのセット。
【請求項５】
シャフトのうちの前記２つは、それぞれ１番アイアンタイプのゴルフクラブから９番アイアンタイプのゴルフクラブまでの範囲内の異なるゴルフクラブのために構成される請求項１から４のいずれか一項に記載のゴルフクラブのためのシャフトのセット。
【請求項６】
前記２つ以上のシャフトは、１つまたは複数のアイアンタイプのクラブおよび１つまたは複数のウェッジタイプのクラブのために構成される請求項１から４のいずれか一項に記載のゴルフクラブのためのシャフトのセット。
【請求項７】
前記２つ以上のシャフトは、それぞれ２番ハイブリッドタイプから５番ハイブリッドタイプのゴルフクラブまでの範囲内の異なるゴルフクラブのために構成される請求項１から４のいずれか一項に記載のゴルフクラブのためのシャフトのセット。
【請求項８】
各シャフトは、炭素繊維を含む壁を備え、壁は、中点と基端との間を重量のある材料で含浸され、重量のある材料は、炭素繊維よりも高い密度を有する請求項１から７のいずれか一項に記載のゴルフクラブのためのシャフトのセット。
【請求項９】
各シャフトは、スチールを含む壁を備え、壁の厚さは、前記先端の壁の厚さよりも基端の方が厚い請求項１から７のいずれか一項に記載のゴルフクラブのためのシャフトのセット。
【請求項１０】
各シャフトについて、先端の壁の厚さは、約０．００８から０．０１８インチの範囲内であり、基端の壁の厚さは、約０．０１５から約０．０３０インチの範囲内である請求項９に記載のゴルフクラブのためのシャフトのセット。
【請求項１１】
ゴルフクラブのセットであって、
異なるロフト角を有する、それぞれアイアンタイプ、ウェッジタイプ、またはハイブリッドタイプのゴルフクラブである２つ以上のゴルフクラブを備え、
ゴルフクラブのセットの各ゴルフクラブは、
長い本体、先端、基端、先端と基端との間の中点、および重心を備えるシャフトであって、
長い本体は、先端と基端との間に延在し、
重心は、中点から第１の距離に配置され、
第１の距離は、中点から基端までの第２の距離の約６．０％以上であり、
重心は、先端よりも基端に近い位置に配置されるシャフトを備えるゴルフクラブのセット。
【請求項１２】
前記２つ以上のゴルフクラブは、それぞれ異なるロフト角を有する３つ以上のゴルフクラブを含む請求項１１に記載のゴルフクラブのセット。
【請求項１３】
多くのゴルフクラブうちの３つのうちの第１のゴルフクラブは、少なくとも２４７グラムのクラブヘッド重量を有する３番アイアンタイプのゴルフクラブであり、多くのゴルフクラブうちの３つのうちの第２のゴルフクラブは、少なくとも２５４グラムのクラブヘッド重量を有する４番アイアンタイプのゴルフクラブであり、多くのゴルフクラブうちの３つのうちの第３のゴルフクラブは、少なくとも２６０グラムのクラブヘッド重量を有する５番アイアンタイプのゴルフクラブである請求項１２に記載のゴルフクラブのセット。
【請求項１４】
ゴルフクラブのセット内の各ゴルフクラブのスウィングウェイトは同じである請求項１１から１３のいずれか一項に記載のゴルフクラブのセット。
【請求項１５】
各ゴルフクラブの前記スウィングウェイトは、約２０５．００から２１６．５０ｉｎ−ｏｚの範囲内である請求項１４に記載のゴルフクラブのセット。
【請求項１６】
各ゴルフクラブについて、第１の距離は、第２の距離の約９．０％以上である請求項１１から１５のいずれか一項に記載のゴルフクラブのセット。
【請求項１７】
各ゴルフクラブについて、第１の距離は、第２の距離の約１１．０％以上である請求項１１から１６のいずれか一項に記載のゴルフクラブのセット。
【請求項１８】
２つ以上のゴルフクラブは、それぞれ、１番アイアンタイプから９番アイアンタイプのゴルフクラブまでの範囲内の異なるゴルフクラブである請求項１１から１７のいずれか一項に記載のゴルフクラブのセット。
【請求項１９】
２つ以上のゴルフクラブは、１つまたは複数のアイアンタイプのクラブおよび１つまたは複数のウェッジタイプのクラブである請求項１１から１７のいずれか一項に記載のゴルフクラブのセット。
【請求項２０】
２つ以上のゴルフクラブは、それぞれ、２番ハイブリッドタイプから５番ハイブリッドタイプのゴルフクラブまでの範囲内の異なるゴルフクラブのために構成される請求項１１から１７のいずれか一項に記載のゴルフクラブのセット。
【請求項２１】
方法であって、
それぞれが、異なるロフト角を有するアイアンタイプ、ウェッジタイプ、またはハイブリッドタイプのゴルフクラブである、２つ以上のゴルフクラブを含むゴルフクラブのセットを提供する工程を備え、
ゴルフクラブのセットの各ゴルフクラブは、
長い本体、先端、基端、中点、および重心を備えるシャフトであって、
長い本体は、先端と基端との間に延在し、
重心は、中点から第１の距離のところに配置され、
第１の距離は、中点から基端までの第２の距離の約６．０％以上であり、
重心は、先端よりも基端に近い位置に配置される、シャフトを備える方法。
【請求項２２】
ゴルフクラブのセットを提供する工程は、それぞれ異なるロフト角を有する３つまたはそれ以上のゴルフクラブを備えるゴルフクラブのセットを提供する工程を備える請求項２１に記載の方法。
【請求項２３】
ゴルフクラブのセットを提供する工程は、第１の距離が第２の距離の約９．０％以上であるゴルフクラブのセットの各ゴルフクラブを提供する工程を備える請求項２１または２２に記載の方法。
【請求項２４】
ゴルフクラブのセットを提供する工程は、第１の距離が第２の距離の約１１．０％以上であるゴルフクラブのセットの各ゴルフクラブを提供する工程を備える請求項２１から２３のいずれか一項に記載の方法。
【請求項２５】
ゴルフクラブのセットを提供する工程は、ゴルフクラブのセットの各ゴルフクラブを提供する工程を備え、ゴルフクラブのセット内の各ゴルフクラブのスウィングウェイトは、同じである請求項２１から２４のいずれか一項に記載の方法。
【発明の詳細な説明】
【技術分野】
【０００１】
関連出願の相互参照
本出願は、２０１３年７月１２日に出願した米国仮出願第６１／８４５，７６５号の利益を主張するものである。米国仮出願第６１／８４５，７６５号は、参照により本明細書に組み込まれている。
【０００２】
本開示は、一般的に、スポーツ器具に関するものであり、より具体的には、ゴルフクラブシャフトおよびゴルフクラブ、ならびに関係する方法に関するものである。
【背景技術】
【０００３】
多くの人々は、隣接するアイアンタイプまたはハイブリッドタイプのゴルフクラブ（例えば、５番アイアンタイプのゴルフクラブ対６番アイアンタイプのゴルフクラブ）で打ったゴルフショットの間の一貫性のある飛距離の間隔（即ちギャップ）を達成するのに困難を経験する。この困難は、より小さいロフト角を有するより長いアイアンタイプまたはハイブリッドタイプのゴルフクラブを使用したときにより顕著であり得る。
【発明の概要】
【０００４】
これらの実施形態のさらなる説明を円滑にするために、次の図面が用意された。
【図面の簡単な説明】
【０００５】
【図１】一実施形態の例示的なゴルフクラブシャフトを示す概略図である。
【０００６】
【図２】図１の実施形態の図１のゴルフクラブシャフトの先端側の断面図である。
【０００７】
【図３】図１の実施形態の図１のゴルフクラブシャフトの基端側の断面図である。
【０００８】
【図４】別の実施形態の別のゴルフクラブシャフトの基端側の断面図である。
【０００９】
【図５】別の実施形態のゴルフクラブを示す概略図である。
【００１０】
【図６】別の実施形態のゴルフクラブのセットの側面図である。
【００１１】
【図７】ゴルフクラブのセットを実現する例示的な手順を示すフローチャートである。
【発明を実施するための形態】
【００１２】
図示を簡単に、わかりやすくするために、図面は、一般的な製作方式を示し、よく知られている特徴および技術の説明および詳細は、本開示を不必要にわかりにくくしないよう省かれ得る。それに加えて、図面中の要素は、必ずしも縮尺通り描かれていない。例えば、図中のそれらの要素のうちのいくつかの寸法は、本開示の実施形態の理解を高めるため他の要素に比べて誇張されている場合がある。異なる図中の同じ参照番号は、同じ要素を表す。
【００１３】
説明および請求項中の「第１の」、「第２の」、「第３の」、「第４の」、および同様の語は、類似の要素を区別するために使用され、必ずしも特定の順次的または時間的順序を記述するために使用されない。このように使用される語は、本明細書で説明されている実施形態が、例えば、本明細書で例示されているか、または他の何らかの方法で説明されているのとは別の順序での操作が可能であるように、適切な状況の下で交換可能であることは理解されるであろう。さらに、「備える」、「含む」、「有する」という語、およびこれらの変形の語は、非排他的な包含を対象とすることを意図しており、それにより、一連の要素を含むプロセス、方法、システム、物品、デバイス、または装置は、必ずしもそれらの要素に限定されず、そのようなプロセス、方法、システム、物品、デバイス、または装置に関して明示的に列挙されているか、またはそれらに固有の他の要素を含み得る。
【００１４】
説明および請求項中の「左」、「右」、「前」、「後」、「頂部」、「底部」、「上の」、「下の」、および同様の語は、記述を目的として使用され、必ずしも永久的な相対的位置を記述するために使用されない。こうして使用される語は、本明細書で説明されている装置、方法、および／または物品の実施形態が、例えば、本明細書で例示されているか、または他の何らかの方法で説明されているのとは別の向きの操作が可能であるように、適切な状況の下で交換可能であることは理解されるであろう。
【００１５】
「結合する」、「結合される」、「結合」、「結合すること」、および同様の語は、広い意味で理解されるべきであり、２つまたはそれ以上の要素を機械的におよび／または他の何らか方法で接続することを指す。２つまたはそれ以上の機械的要素は、機械的に一緒に結合され得るが、電気的に、または他の何らかの方法では一緒に結合され得ない。結合することは、任意の長さの時間の間、例えば、永久的または半永久的またはほんの短い間のみであるものとしてよい。「機械的結合」および同様の語は、広い意味で理解されるべきであり、すべてのタイプの機械的結合を含む。
【００１６】
「取り外し可能に」、「取り外し可能」という単語がないこと、および「結合される」という単語に近い同様の単語、および同様の単語は、注目している、結合すること、などが取り外し可能である、または取り外し可能でないことを意味しない。
【００１７】
本明細書で定義されているように、２つまたはそれ以上の要素は、それらが同じ材料個片からなる場合に「一体」である。本明細書で定義されているように、２つまたはそれ以上の要素は、各々異なる材料個片からなる場合に「非一体」である。
【００１８】
本明細書で定義されているように、「約」、「ほぼ」は、いくつかの実施形態において、述べられている値の±１０％以内であることを意味する。他の実施形態では、「約」は、述べられている値の±５％以内であることを意味し得る。さらなる実施形態において、「約」は、述べられている値の±３％以内であることを意味し得る。さらに他の実施形態では、「約」は、述べられている値の±１％以内であることを意味し得る。本明細書で説明されている製造装置、製造方法、および製造品は、この点に限定されない。
【００１９】
様々な実施形態は、ゴルフクラブのためのシャフトのセットを含む。シャフトのセットは、異なるロフト角を有するアイアンタイプ、ウェッジタイプ、またはハイブリッドタイプのゴルフクラブのためにそれぞれ構成された２つ以上のシャフトを含み得る。シャフトのセットの各シャフトは、長い本体、先端、基端、中点、および重心を含み得る。長い本体は、先端と基端との間に延在し得る。重心は、中点から第１の距離に配置され得る。第１の距離は、中点から基端までの第２の距離の約６．０％以上であり得る。重心は、先端よりも基端に近い位置に配置され得る。
【００２０】
多くの実施形態は、ゴルフクラブのセットを含む。ゴルフクラブのセットは、異なるロフト角を有する、それぞれアイアンタイプ、ウェッジタイプ、またはハイブリッドタイプのゴルフクラブである２つ以上のゴルフクラブを含み得る。ゴルフクラブのセットの各ゴルフクラブは、シャフトを含み得る。シャフトは、長い本体、先端、基端、先端と基端との間の中点、および重心を含み得る。長い本体は、先端と基端との間に延在し得る。重心は、中点から第１の距離に配置され得る。第１の距離は、中点から基端までの第２の距離の約６．０％以上であり得る。重心は、先端よりも基端に近い位置に配置され得る。
【００２１】
いくつかの実施形態は、方法を含み得る。方法は、ゴルフクラブのセットを提供する工程を含み得る。ゴルフクラブのセットは、それぞれが、異なるロフト角を有するアイアンタイプ、ウェッジタイプ、またはハイブリッドタイプのゴルフクラブである、２つ以上のゴルフクラブを含み得る。ゴルフクラブのセットの各ゴルフクラブは、シャフトを含み得る。シャフトは、長い本体、先端、基端、中点、および重心を含み得る。長い本体は、先端と基端との間に延在し得る。重心は、中点から第１の距離のところに配置され得る。第１の距離は、中点から基端までの第２の距離の約６．０％以上であり得る。重心は、先端よりも基端に近い位置に配置され得る。
【００２２】
図面を参照すると、図１では、一実施形態によるシャフト１００の概略図を示している。シャフト１００は、単なる例にすぎず、シャフトの実施形態は、本明細書で提示されている実施形態に限定されない。シャフトは、本明細書に特に図示または説明されていない多くの異なる実施形態もしくは例において採用され得る。
【００２３】
シャフト１００は、長い本体であるものとしてよく、先端１０１および基端１０２を有することができる。長い本体は、先端と基端との間に延在し得る。シャフト１００は、シャフト長１０７を有することができる。様々な実施形態において、シャフト１００は、中点１０３から基端１０２までの半分の長さの距離１０８がシャフト長１０７の１／２であるような中点１０３を有するものとしてよい。中点１０３は、シャフト１００を先端側１０４と基端側１０５とに二分することができる。
【００２４】
いくつかの実施形態において、シャフト１００は、先端１０１よりも基端１０２に近い位置に配置されている重心１０６を有し得る。重心１０６は、中点１０３と基端１０２との間の基端側１０５に沿って配置され得る。特に、重心１０６は、シャフト１００が高い重心を有するように中点１０３から距離１０９のところに配置され得る。多くの実施形態において、距離１０９は、半分の長さの距離１０８の約６．０％以上であるものとしてよい。さらなる実施形態において、距離１０９は、半分の長さの距離１０８の約９．０％以上であるものとしてよい。なおもさらなる実施形態において、距離１０９は、半分の長さの距離１０８の約１１．０％以上であるものとしてよい。例えば、距離１０９は、半分の長さの距離１０８の約６．０％、６．５％、７．０％、７．５％、８．０％、８．５％、９．０％、９．５％、１０．０％、１０．５％、１１．５％、１２．０％、１２．５％、１３．０％、１３．５％、１４．０％、１４．５％、または１５．０％以上であるものとしてよい。距離１０９が半分の長さの距離１０８のパーセンテージで増加すると、重心１０６は、基端１０２により近くなるように位置決めされる。
【００２５】
図面をさらに参照すると、図２では、シャフト１００の先端側の断面図を示している。図３は、シャフト１００の基端側の断面図を示している。シャフト１００は、中空芯を囲むチューブ状壁を備え得る。シャフト１００の先端において、図２に示されているように、壁２０１は、中空芯２０２を囲むものとしてよく、シャフト１００は、先端外径２０３および先端内径２０４を有し得る。壁２０１は、先端において厚さ２０５を有するものとしてよい。シャフト１００の基端において、図３に示されているように、壁３０１は、中空芯３０２を囲むものとしてよく、シャフト１００は、基端外径３０３および基端内径３０４を有し得る。壁３０１は、基端において厚さ３０５を有するものとしてよい。シャフト１００の壁（例えば、２０１、３０１）は、スチール製であってよい。壁の厚さは、先端から基端への増大するものとしてよく、それにより、基端１０２（図１）における壁３０１の厚さ３０５は、先端２０１における厚さ２０５よりも厚い。多数の実施形態において、壁の厚さは、先端１０１（図１）から基端１０２（図１）に移動するときに均一な割合で徐々に増大するものとしてよい。他の実施形態では、壁の厚さは、先端１０１（図１）から基端１０２（図１）に移動するときに非均一な割合で増大するものとしてよい。いくつかの実施形態において、シャフト１００の各断面において、壁は、ほぼ均一な厚さを有し得る。多数の実施形態において、先端外径２０３は、約０．３２５から０．３８０インチの範囲内であるものとしてよい。基端外径３０３は、約０．５６０から０．６３０インチの範囲内であるものとしてよい。さらなる実施形態において、シャフト１００は、例えば、シャフト１００がスチールであるときに、０．００８から０．０３０インチまで変化する壁厚さを有し得る。いくつかの実施形態において、先端１０１（図１）の厚さ２０５は、約０．００８から０．０１８インチの範囲内であるものとしてよく、基端１０２（図１）の厚さ３０５は、約０．０１５から０．０３０インチの範囲内であるものとしてよい。例えば、先端１０１（図１）の厚さ２０５は、約０．０１０インチであってよく、基端１０２（図１）の厚さ３０５は、約０．０２５インチであるものとしてよい。いくつかの実施形態では、シャフト１００の壁厚さは、基端１０２（図１）から先端１０１（図１）の方へ移動するにつれ薄くなってゆくものとしてよいが、クラブヘッドのホーゼルに取り付けるための構造支持を高めるために先端１０２の数インチ以内でより厚くするものとしてよい。壁厚さを先端側１０４（図１）よりも基端側１０５（図１）で厚くすることによって、スチールシャフト１００の重心を基端１０２（図１）の方へより近くなるように位置決めされ得る。
【００２６】
代替的に、またはそれに加えて、シャフトは、グラファイト（例えば、炭素繊維）、グラスファイバー、および／または他の好適な材料で製作され得る。いくつかの実施形態において、シャフトは、炭素繊維またはグラスファイバーなどのより低密度の材料から製作され、スチールまたはタングステンなどの、より高密度の重い材料を含浸され得る。炭素繊維の密度は、１立方センチメートル当たり約１．０から２．０グラムの範囲内とすることができる。グラスファイバーの密度は、１立方センチメートル当たり約１．５から３．０グラムの範囲内とすることができる。スチールの密度は、１立方センチメートル当たり約７．５から８．２グラムの範囲内とすることができる。タングステンの密度は、１立方センチメートル当たり約１４から１９グラムの範囲内とすることができる。
【００２７】
例えば、図４は、一実施形態による、シャフト４００の基端側の断面図を示している。シャフト４００は、シャフト１００（図１〜３）に類似しているものとしてよく、シャフト４００の様々なコンポーネントおよび／または構造は、シャフト１００の様々なコンポーネントと同一であるものとしてよい。シャフト４００は、中空芯を囲むチューブ状壁を備え得る。シャフト４００の基端において、図４に示されているように、壁４０１は、中空芯４０２を囲むものとしてよく、シャフト４００は、基端外径４０３および基端内径４０４を有し得る。壁４０１は、基端において厚さ４０５を有するものとしてよい。シャフト４００の先端は、図２に示されているように、シャフト１００の先端に類似しているものとしてよく、壁４０１の厚さは、基端から先端までほぼ均一であり、それにより、厚さ４０５は、シャフト４００の先端の厚さと同じであるものとしてよい。シャフト４００、およびグラファイトシャフトの他の実施形態は、約０．０１０から０．１００インチの範囲内の壁厚さを有し得る。シャフト４００の壁４０１は、炭素繊維から作られ、シャフト４００の基端側の中点と基端との間で、タングステンなどの重量のある材料を含浸され得る。タングステンなどの重量のある材料は、炭素繊維よりも高い密度を有し得る。いくつかの実施形態では、重量のある材料は、シャフト４００において含浸されるものとしてよく、それにより、シャフト４００の密度は、先端から基端まで、または少なくとも、中点から基端まで徐々に増大し得る。シャフト４００の基端側上で含浸された重量のある材料を使用することによって、シャフト４００の重心は、基端の方へより近く位置決めされ得る。多くの実施形態において、シャフトの重心は、シャフトの基端側の外側に、またはシャフトの基端側の中空芯に重量を加えることなくシャフトの密度を変えることによって、および／またはシャフトの壁厚さを変えることによって基端により近くに位置決めされ得る。
【００２８】
図５は、一実施形態による、ゴルフクラブ５００の概略図を示している。ゴルフクラブ５００は、単なる例にすぎず、ゴルフクラブの実施形態は、本明細書で提示されている実施形態に限定されない。ゴルフクラブは、本明細書に特に図示または説明されていない多くの異なる実施形態もしくは例において採用され得る。
【００２９】
ゴルフクラブ５００は、クラブヘッド５０１、シャフト５０３、およびグリップ５０６を備え得る。シャフト５０３は、シャフト１００（図１〜３）および／またはシャフト４００（図４）に類似しているか、または同一であるものとしてよく、シャフト５０３の様々なコンポーネントおよび／または構造は、シャフト１００および／またはシャフト４００の様々なコンポーネントと同一であるものとしてよい。ゴルフクラブ５００は、一般的に振ったときのクラブの所定の感じる重さである、スウィングウェイトを有する。ゴルフクラブ５００のスウィングウェイトは、支点５０５上のピボットポイント５１２の周りのゴルフクラブ５００の正味モーメントを決定することによって測定され得る。ピボットポイント５１２は、クラブの基端から距離５０８のところにあるものとしてよい。距離５０８は、Ｌｏｒｙｔｈｍｉｃスウィングウェイトスケールに対して１４．０インチとして定義される。クラブヘッド５０１は、ピボットポイント５１２からの距離５０９のところに重心５０２を配置し得る。シャフト５０３は、ピボットポイント５１２からの距離５１０のところに重心５０４を配置し得る。グリップ５０６は、ピボットポイント５１２からの距離５１１のところに重心５０７を配置し得る。ゴルフクラブの各コンポーネント（すなわち、クラブヘッド５０１、シャフト５０３、およびグリップ５０６）の重量は、ゴルフクラブ５００のスウィングウェイトに影響を及ぼし得る。さらに、各コンポーネントに対するピボットポイントからの重心の距離（すなわち、クラブヘッド５０１の重心５０２に対する距離５０９、シャフト５０３の重心５０４に対する距離５１０、およびグリップ５０６の重心５０７に対する距離５１１）は、ゴルフクラブ５００のスウィングウェイトに影響を及ぼし得る。言い換えれば、スウィングウェイトは、クラブヘッド５０１、シャフト５０４、および／またはグリップ５０６の重量を変化させることによって、またはクラブヘッド５０１、シャフト５０４、および／またはグリップ５０６の重心を移動させることによって変えることができる。例えば、距離５０９が増大するようにゴルフクラブ５００の長さを増大し、重心５０２を移動することで、スウィングウェイトを変化させることができる。シャフト５０３の長さおよび／または組み立てられたゴルフクラブ５００の長さは、これにより、スウィングウェイトに影響を及ぼし得る。インチオンス（ｉｎ−ｏｚ）単位で測定され得る、スウィングウェイト測定は、表１に示されているように、英数字の組合せに変換され得る。
【００３０】
【表１】
2016523683.tif 000003
表1.スウィングウェイトの変換
【００３１】
図面をさらに参照すると、図６では、ゴルフクラブ６００のセットを示している。ゴルフクラブ６００のセットは、単なる例にすぎず、ゴルフクラブのセットの実施形態は、本明細書で提示されている実施形態に限定されない。ゴルフクラブのセットは、本明細書に特に図示または説明されていない多くの異なる実施形態もしくは例において採用され得る。
【００３２】
ゴルフクラブ６００のセットは、３つのゴルフクラブ６１０、６２０、および６３０を含み、各々アイアンタイプのゴルフクラブのうちの異なる１つであり得る。ゴルフクラブ６００のセットの各ゴルフクラブ（例えば、６１０、６２０、または６３０）は、ゴルフクラブ５００（図５）に類似しているか、または同一であるものとしてよく、各ゴルフクラブ（例えば、６１０、６２０、６３０）の様々なコンポーネントおよび／または構造は、ゴルフクラブ５００の様々なコンポーネントと同一であるものとしてよい。ゴルフクラブ６００のセットの各ゴルフクラブは、シャフト、クラブヘッド、およびグリップを備え得る。例えば、ゴルフクラブ６１０は、シャフト６１１、フェース６１３を有するクラブヘッド６１２、およびグリップ６１４を備え得る。ゴルフクラブ６２０は、シャフト６２１、フェース６２３を有するクラブヘッド６２２、およびグリップ６２４を備え得る。ゴルフクラブ６３０は、シャフト６３１、フェース６３３を有するクラブヘッド６３２、およびグリップ６３４を備え得る。シャフト６１１、６２１、および／または６３１は、シャフト１００（図１〜３）および／またはシャフト４００（図４）に類似しているか、または同一であるものとしてよく、シャフト６１１、６２１、および／または６３１の様々なコンポーネントおよび／または構造は、シャフト１００および／またはシャフト４００の様々なコンポーネントに類似しているか、または同一であるものとしてよい。各ゴルフクラブ（例えば、６１０、６２０、６３０）は、クラブヘッド（例えば、６１２、６２２、６３２）のフェース（例えば、６１３、６２３、６３３）のロフト角に関連付けられている個別のクラブ番手を有し得る。クラブ番手は、ロフトの所定の度数を有するセットの特定のゴルフクラブを識別するために使用され得る。アイアンタイプのゴルフクラブに対するクラブ番手は、１から９までであり、さらにはピッチングウェッジ（ＰＷ）、ユーティリティウェッジ（ＵＷ）、サンドウェッジ（ＳＷ）、およびロブウェッジ（ＬＷ）などのウェッジを備え得る。正確なロフト角は、様々な実施形態においてわずかに異なり得るけれども、フェースのロフト角は、表２に示されているように、クラブ番手に変換され得る。
【００３３】
【表２】
2016523683.tif 000004
表2.アイアンタイプのクラブ番手およびロフト角
【００３４】
例えば、ゴルフクラブ６１０のフェース６１３は、２０度のロフト角を有し、３番アイアンであり、ゴルフクラブ６２０のフェース６２３は、２６度のロフト角を有し、５番アイアンであり、ゴルフクラブ６３０のフェース６３３は、３２度のロフト角を有し、７番アイアンであり得る。特定のクラブ番手を有するゴルフクラブのために構成されているシャフトは、対応するシャフト番手を有することができる。ロフト角の変化に加えて、多くの実施形態において、より低いロフト角を持つアイアンタイプのゴルフクラブは、より高いロフト角を持つアイアンタイプのゴルフクラブよりも大きい長さを有し得る。したがって、より低い番手のクラブは、ロングアイアンと称されることが多く、より高い番手のクラブは、ショートアイアンと称されることが多い。いくつかの実施形態では、ゴルフクラブのセットは、ハイブリッドタイプのゴルフクラブを含み得る。ハイブリッドタイプのゴルフクラブのクラブ番手は、ロフト角によって指定されることが多いけれども、各ハイブリッドタイプのゴルフクラブは、表３に示されているように、同等のアイアンタイプのクラブ番手を有し得る。この説明のために、ハイブリッドタイプのゴルフクラブは、それと同等のアイアンタイプのクラブ番手によって指定される。例えば、２番ハイブリッドタイプのゴルフクラブは、１７度のロフト角を持つハイブリッドタイプのクラブヘッドを示す。
【００３５】
【表３】
2016523683.tif 000005
表3.ハイブリッドタイプのクラブ番手およびロフト角
【００３６】
異なるクラブ番手は、ゴルフボールを異なる距離に打つために使用され得る。より低いクラブ番手は、より長いショットを打つために使用され、より高いクラブ番手は、より短いショットを打つために使用され得る。実質的に同じスウィングを異なるクラブでも使用することによって、様々なアイアンタイプのゴルフクラブが、異なる距離を達成するために使用され得る。しかしながら、多くの人々は、隣接するアイアンタイプのゴルフクラブを使用したときに距離の一貫性のある変化を達成することを苦手としている。例えば、多くのプレーヤーは、クラブ番手が下がる毎にショットに対する飛距離が１０〜１５ヤード増大することを好む。プレーヤーによっては、このギャップは、３番アイアンタイプから７番アイアンタイプのゴルフクラブなどの、ロングアイアンタイプのゴルフクラブで達成することが最も難しいことが多い。例えば、３番アイアンタイプおよび４番アイアンタイプのゴルフクラブを使用したショット間の距離は、８番アイアンタイプおよび９番アイアンタイプのゴルフクラブなどの、ショートアイアンタイプのゴルフクラブを使用したショットの間の距離ほどには明確または一貫性を有し得ない。一貫性のあるクラブギャッピングを達成することが難しいため、長い距離でどのクラブを使用すべきかを決定することは困難になり得る。
【００３７】
いくつかの実施形態では、ゴルフクラブのセットは、異なるクラブ番手のゴルフクラブの間の長さのより大きな違いを生み出すことによって、および／または異なるクラブ番手のゴルフクラブのクラブヘッドの重量のより大きな違いを生み出すことによって一貫性のあるクラブギャッピングとなるように最適化され得る。クラブヘッドに重量を加えることによって、クラブヘッドの運動量を増大させ、それにより、接触後にボールに伝達されるエネルギーを増加させることができる。同様に、ゴルフクラブの長さを増やすことによって、クラブヘッドの速度を増大させ、それにより、接触後にボールに伝達されるエネルギーを増加させることができる。しかしながら、クラブヘッドの重量を増加させる、および／またはゴルフクラブの長さを増加させることは、スウィングウェイトに影響を及ぼす可能性があり、多くのプレーヤーは、クラブ間でスウィングの同じ感触を維持するためにアイアンタイプのゴルフクラブのセット間で一貫性のあるスウィングウェイトを好む。様々な実施形態において、重量をゴルフクラブの基端の方にシフトすることによって、クラブヘッドの増加した重量および／またはゴルフクラブの増加した長さが相殺され、それにより、一貫性のあるスウィングウェイトを維持することができる。いくつかの実施形態において、ゴルフクラブのセット内のいくつかのクラブヘッドの重量は増加させられ、ゴルフクラブのセット内のゴルフクラブの長さは、同じ長さに保たれ得る。他の実施形態では、ゴルフクラブのセット内のいくつかのゴルフクラブの長さは増加させられ、ゴルフクラブのセット内のクラブヘッドの重量は、同じ重量に保たれ得る。さらなる実施形態において、いくつかのクラブヘッドの重量は、増加させられ、いくつかのクラブヘッドの長さは、増加させられ得る。多数の実施形態において、スウィングウェイトは、シャフトの重心を基端の方へ移動することによって維持され得る。
【００３８】
例えば、表４は、一実施形態による、スチールシャフトの例示的なセットに対するデータを示しており、２つ以上のシャフトが、高い重心を有している（すなわち、重心は、基端の方へ移動されている）。説明されている長さは、約±０．１２５インチの範囲内とすることができる。説明されている重量は、約±３．６グラムの範囲内とすることができる。重心は、シャフトの基端側に位置決めされ、重心から中点までの距離が識別され、さらにはその距離は、シャフトの半分の長さのパーセンテージとして識別される。
【００３９】
【表４】
2016523683.tif 000006
表4.高い重心を有する例示的なスチールシャフト
【００４０】
表５は、一実施形態による、グラファイトシャフトの例示的なセットに対するデータを示しており、２つ以上のシャフトは、高い重心を有する。説明されている長さは、約±０．１２５インチの範囲内とすることができる。説明されている重量は、約±３．６グラムの範囲内とすることができる。重心は、シャフトの基端側に位置決めされ、重心から中点までの距離が識別され、さらにはその距離は、シャフトの半分の長さパーセンテージとして識別される。
【００４１】
【表５】
2016523683.tif 000007
表5.高い重心を有する例示的なグラファイトシャフト
【００４２】
いくつかの実施形態では、シャフトのセットは、異なるロフト角を有するアイアンタイプ、ウェッジタイプ、またはハイブリッドタイプのゴルフクラブのためにそれぞれ構成された２つ以上のシャフトを含み得る。例えば、２つ以上のシャフトは、４番アイアンタイプのゴルフクラブのために構成された第１のシャフトと、ピッチングウェッジタイプのゴルフクラブのために構成された第２のシャフトと、３番ハイブリッドタイプのゴルフクラブのために構成された第３のシャフトとを含み得る。いくつかの実施形態において、２つまたはそれ以上のシャフトは、それぞれ、１番アイアンタイプのゴルフクラブから９番アイアンタイプのゴルフクラブまでの範囲内の異なるゴルフクラブのために構成され得る。例えば、２つ以上のシャフトは、３番アイアンタイプのゴルフクラブのために構成された第１のシャフトと、４番アイアンタイプのゴルフクラブのために構成された第２のシャフトと、５番アイアンタイプのゴルフクラブのために構成された第３のシャフトとを含み得る。いくつかの他の実施形態において、２つ以上のシャフトは、１つまたは複数のアイアンタイプのゴルフクラブおよび１つまたは複数のウェッジタイプのゴルフクラブのために構成され得る。例えば、２つ以上のシャフトは、５番アイアンタイプのゴルフクラブのために構成された第１のシャフトと、サンドウェッジタイプのゴルフクラブのために構成された第２のシャフトとを含み得る。さらなる実施形態において、２つ以上のシャフトは、各々、２番ハイブリッドタイプのゴルフクラブから５番ハイブリッドタイプのゴルフクラブまでの範囲内の異なるゴルフクラブのために構成され得る。例えば、２つ以上のシャフトは、２番ハイブリッドタイプのゴルフクラブのために構成された第１のシャフトと、３番ハイブリッドタイプのゴルフクラブのために構成された第２のシャフトと、４番ハイブリッドタイプのゴルフクラブのために構成された第３のシャフトとを含み得る。
【００４３】
各シャフト（例えば、シャフト６１１（図６）、シャフト６２１（図６）、またはシャフト６３１（図６））は、シャフト１００（図１〜３）および／またはシャフト４００（図４）と同一であるか、または実質的に類似しているものとしてよく、シャフトの様々なコンポーネントおよび／または構造は、シャフト１００および／またはシャフト４００の様々なコンポーネントと同一であるものとしてよい。特に、各シャフトは、先端、基端、中点、および重心を有する長い本体であってよく、長い本体は、先端と基端との間に延在し得る。重心は、先端よりも基端に近い位置に配置され、重心は、シャフトの長さ半分の約６．０％以上である中点からの距離とすることができる。上で説明されているように、他の実施形態において、重心から中点までの距離は、シャフトの半分の長さの約６．０％、６．５％、７．０％、７．５％、８．０％、８．５％、９．０％、９．５％、１０．０％、１０．５％、１１．５％、１２．０％、１２．５％、１３．０％、１３．５％、１４．０％、１４．５％、または１５．０％以上であるものとしてよい。いくつかの実施形態では、シャフトのセットは、各々異なるロフト角を有する３つ以上のシャフトを含み得る。他の実施形態では、シャフトのセットは、各々異なるロフト角を有する４つ以上のシャフトを含み得る。さらなる実施形態において、シャフトのセットは、各々異なるロフト角を有する５つ以上のシャフトを含み得る。
【００４４】
例えば、表４で説明されているスチールシャフトについて、シャフトのセットは、それぞれ高い重心を有する２、３、４、５、６、７、さらには８本のシャフトを含み得る。特に、シャフトのセットの各シャフト内の重心から中点までの距離は、シャフトの半分の長さの約１２．０％以上である。いくつかの実施形態では、２つ以上のシャフトは、ウェッジ（例えば、ＰＷ、ＵＷ、ＳＷ、ＬＷ）を含む、任意のアイアンタイプのゴルフクラブ番手に対して構成され得る。他の実施形態では、２つ以上のシャフトは、各々、１番アイアンタイプから９番アイアンタイプのゴルフクラブにのみのために構成され得る。特に、２つ以上のシャフトは、いくつかの実施形態において、約４０度以下のロフト角を有するアイアンタイプのゴルフクラブにのみのために構成され得る。様々な実施形態において、２つ以上のシャフトは、各々、１番アイアンタイプから９番アイアンタイプのゴルフクラブまでの範囲内のアイアンタイプのゴルフクラブのうちの異なる１つのために構成され、例えば、１番アイアンタイプから７番アイアンタイプまでのゴルフクラブ、１番アイアンタイプから５番アイアンタイプまでのゴルフクラブ、１番アイアンタイプから３番アイアンタイプまでのゴルフクラブ、２番アイアンタイプから７番アイアンタイプまでのゴルフクラブ、２番アイアンタイプから５番アイアンタイプまでのゴルフクラブ、２番アイアンタイプから３番アイアンタイプまでのゴルフクラブ、３番アイアンタイプから９番アイアンタイプまでのゴルフクラブ、３番アイアンタイプから６番アイアンタイプまでのゴルフクラブ、３番アイアンタイプから４番アイアンタイプまでのゴルフクラブ、４番アイアンタイプから８番アイアンタイプまでのゴルフクラブ、４番アイアンタイプから６番アイアンタイプまでのゴルフクラブ、５番アイアンタイプから７番アイアンタイプまでのゴルフクラブ、または別の好適な範囲の番手のアイアンタイプのゴルフクラブなどのために構成され得る。
【００４５】
いくつかの実施形態では、アイアンタイプのゴルフクラブのために構成されたシャフトのうちの１つまたは複数は、完全なトリムされていない長さで用意され、上で説明されているように、高い重心特性を有し得る。他の実施形態では、シャフトのうちの１つまたは複数は、ゴルフクラブに対する完全なトリムされた長さで用意され、上で説明されているように、高い重心特性を有し得る。いくつかの実施形態では、各シャフトは、トリムされた長さでゴルフクラブ内に組み込まれ、上で説明されているように、高い重心特性を有し得る。ゴルフクラブのセット内に組み付けられるときに、シャフトは、標準的な長さを有し得るか、または背の高い、または背の低い人々などのために、長くされるか、または短くされ得る。表６は、標準的な長さにトリムされたゴルフクラブ内に組み付けられた例示的なスチールシャフトに対するデータを示している。表７は、標準的な長さよりも１インチ長い長さにトリムされたゴルフクラブ内に組み付けられた例示的なスチールシャフトに対するデータを示している。表８は、標準的な長さよりも２インチ長い長さにトリムされたゴルフクラブ内に組み付けられた例示的なスチールシャフトに対するデータを示している。表９は、標準的な長さよりも１インチ短い長さにトリムされたゴルフクラブ内に組み付けられた例示的なスチールシャフトに対するデータを示している。表１０は、標準的な長さよりも２インチ短い長さにトリムされたゴルフクラブ内に組み付けられた例示的なスチールシャフトに対するデータを示している。各場合において、シャフトのセットは、上で説明されているように、高い重心特性を有し得る。
【００４６】
【表６】
2016523683.tif 000008
表6.標準的な長さのクラブに対してトリムされた例示的な高い重心を持つスチールシャフト
【００４７】
【表７】
2016523683.tif 000009
表7.標準的な長さよりも1インチ長いクラブに対してトリムされた例示的な高い重心を持つスチールシャフト
【００４８】
【表８】
2016523683.tif 000010
表8.標準的な長さよりも2インチ長いクラブに対してトリムされた例示的な高い重心を持つスチールシャフト
【００４９】
【表９】
2016523683.tif 000011
表9.標準的な長さよりも1インチ短いクラブに対してトリムされた例示的な高い重心を持つスチールシャフト
【００５０】
【表１０】
2016523683.tif 000012
表10.標準的な長さよりも2インチ短いクラブに対してトリムされた例示的な高い重心を持つスチールシャフト
【００５１】
いくつかの実施形態では、ゴルフクラブのセットは２つ以上のゴルフクラブを含むものとしてよく、それぞれ、異なるロフト角を有するアイアンタイプ、ウェッジタイプ、またはハイブリッドタイプのゴルフクラブである。例えば、２つ以上のゴルフクラブは、４番アイアンタイプのゴルフクラブ、ピッチングウェッジタイプのゴルフクラブ、および３番ハイブリッドタイプのゴルフクラブを含み得る。いくつかの実施形態において、２つ以上のシャフトは、各々、１番アイアンタイプのゴルフクラブから９番アイアンタイプのゴルフクラブまでの範囲内の異なるゴルフクラブであってよい。例えば、２つ以上のゴルフクラブは、３番アイアンタイプのゴルフクラブ、４番アイアンタイプのゴルフクラブ、および５番アイアンタイプのゴルフクラブを含み得る。いくつかの他の実施形態において、２つ以上のゴルフクラブは、１つまたは複数のアイアンタイプのゴルフクラブおよび１つまたは複数のウェッジタイプのゴルフクラブであってよい。例えば、２つ以上のゴルフクラブは、５番アイアンタイプのゴルフクラブおよびサンドウェッジタイプのゴルフクラブを含み得る。さらなる実施形態において、２つ以上のゴルフクラブは、それぞれ、２番ハイブリッドタイプのゴルフクラブから５番ハイブリッドタイプのゴルフクラブまでの範囲内の異なるゴルフクラブであってよい。例えば、２つ以上のゴルフクラブは、２番ハイブリッドタイプのゴルフクラブ、３番ハイブリッドタイプのゴルフクラブ、および４番ハイブリッドタイプのゴルフクラブを含み得る。
【００５２】
ゴルフクラブのセットは、ゴルフクラブ６００（図６）のセットと同一であるか、または実質的に類似しているものとしてよく、ゴルフクラブのセットの様々なコンポーネントおよび／または構造は、ゴルフクラブ６００のセットの様々なコンポーネントと同一であるものとしてよい。各ゴルフクラブは、ゴルフクラブ５００（図５）と同一であるか、または実質的に類似しているものとしてよく、ゴルフクラブの様々なコンポーネントおよび／または構造は、ゴルフクラブ５００の様々なコンポーネントと同一であるものとしてよい。特に、ゴルフクラブのセットの各ゴルフクラブは、シャフトを備え得る。シャフトは、シャフト１００（図１〜３）および／またはシャフト４００（図４）と同一であるか、または実質的に類似しているものとしてよく、シャフトの様々なコンポーネントおよび／または構造は、シャフト１００および／またはシャフト４００の様々なコンポーネントと同一であるものとしてよい。上で説明されているように、各シャフトは、先端、基端、中点、および重心を有する長い本体であってよく、そこでは、長い本体は、先端と基端との間に延在し得る。重心は、先端よりも基端に近い位置に配置され、重心は、シャフトの長さ半分の約６．０％以上である中点からの距離とすることができる。上で説明されているように、他の実施形態において、重心から中点までの距離は、シャフトの半分の長さの約６．０％、６．５％、７．０％、７．５％、８．０％、８．５％、９．０％、９．５％、１０．０％、１０．５％、１１．５％、１２．０％、１２．５％、１３．０％、１３．５％、１４．０％、１４．５％、または１５．０％以上であるものとしてよい。いくつかの実施形態では、ゴルフクラブのセットは、各々異なるロフト角を有する３つ以上のゴルフクラブを含み得る。他の実施形態では、ゴルフクラブのセットは、各々異なるロフト角を有する４つ以上のゴルフクラブを含み得る。さらなる実施形態において、ゴルフクラブのセットは、各々異なるロフト角を有する５つ以上のゴルフクラブを含み得る。
【００５３】
ゴルフクラブのセットは、上で説明されているように、各々高い重心を持つシャフトを有する２つ以上のゴルフクラブを含み得る。いくつかの実施形態では、２つ以上のゴルフクラブは、ウェッジ（例えば、ＰＷ、ＵＷ、ＳＷ、ＬＷ）を含む、任意のアイアンタイプのクラブ番手であってよい。他の実施形態では、２つ以上のゴルフクラブは、それぞれ、１番アイアンタイプから９番アイアンタイプのゴルフクラブであってよく、約４０度以下のロフト角を有するクラブに制限され得る。様々な実施形態において、２つ以上のゴルフクラブは、各々、１番アイアンタイプから９番アイアンタイプのゴルフクラブまでの範囲内のアイアンタイプのゴルフクラブのうちの異なる１つであってよく、例えば、１番アイアンタイプから７番アイアンタイプまでのゴルフクラブ、１番アイアンタイプから５番アイアンタイプまでのゴルフクラブ、１番アイアンタイプから３番アイアンタイプまでのゴルフクラブ、２番アイアンタイプから７番アイアンタイプまでのゴルフクラブ、２番アイアンタイプから５番アイアンタイプまでのゴルフクラブ、２番アイアンタイプから３番アイアンタイプまでのゴルフクラブ、３番アイアンタイプから９番アイアンタイプまでのゴルフクラブ、３番アイアンタイプから６番アイアンタイプまでのゴルフクラブ、３番アイアンタイプから４番アイアンタイプまでのゴルフクラブ、４番アイアンタイプから８番アイアンタイプまでのゴルフクラブ、４番アイアンタイプから６番アイアンタイプまでのゴルフクラブ、５番アイアンタイプから７番アイアンタイプまでのゴルフクラブ、または別の好適な範囲の番手のアイアンタイプのゴルフクラブなどであってよい。
【００５４】
いくつかの実施形態では、ゴルフクラブのセット内の２つ以上のゴルフクラブの各々に対するクラブヘッドの重量および／またはゴルフクラブの長さは、クラブギャッピングを最適化するように増加させられる。このようないくつかの実施形態では、ゴルフクラブのセット内の各ゴルフクラブのスウィングウェイトは、同じであるか、または実質的に類似しているものとしてよい。いくつかの実施形態では、ゴルフクラブのセット内の各ゴルフクラブに対するスウィングウェイト測定は、±約１．０ｉｎ−ｏｚとすることができる。例えば、ゴルフクラブのセット内の第１のゴルフクラブは、２１２．５０ｉｎ−ｏｚのスウィングウェイト（Ｄ０の英数字のスウィングウェイトに対応する）を有することができ、ゴルフクラブのセット内の第２のゴルフクラブは、２１１．９０ｉｎ−ｏｚのスウィングウェイトを有することができ、ゴルフクラブのセット内の第３のゴルフクラブは、２１３．１０ｉｎ−ｏｚのスウィングウェイトを有することができる。いくつかの実施形態において、各ゴルフクラブのスウィングウェイトは、約２０５．００から２１６．５０ｉｎ−ｏｚの範囲内である。表１１は、一貫性のあるクラブギャッピングとなるように最適化され（この実施形態では、両方ともヘッドの重量増加を有する）、スウィングウェイトを維持するため高い重心スチールシャフトも有する、例示的なアイアンタイプのゴルフクラブに対するデータを示している。表１２は、一貫性のあるクラブギャッピングとなるように最適化され（この実施形態では、両方ともヘッドの重量増加を有する）、スウィングウェイトを維持するため高い重心グラファイトシャフトも有する、例示的なアイアンタイプのゴルフクラブに対するデータを示している。列挙されているクラブの重量は、一貫性のあるクラブギャッピングを最適化するように最小のクラブヘッド重量であり得る。例えば、３つ以上のゴルフクラブのセットの第１のゴルフクラブは、少なくとも２４７グラムのクラブヘッド重量を持つ３番アイアンタイプのゴルフクラブとすることができる。３つ以上のゴルフクラブのセットの第２のゴルフクラブは、少なくとも２５４グラムのクラブヘッド重量を持つ４番アイアンタイプのゴルフクラブとすることができる。３つ以上のゴルフクラブのセットの第３のゴルフクラブは、少なくとも２６０グラムのクラブヘッド重量を持つ５番アイアンタイプのゴルフクラブとすることができる。さらなる実施形態において、各ゴルフクラブの長さは、表１１および表１２に列挙されている長さから少なくとも約３％ほど増加させられ得る。さらなる実施形態において、一貫性のあるクラブギャッピングを最適化するために、クラブヘッド重量が増加させられることと、ゴルフクラブの長さが増加させられることの両方が行われ得る。
【００５５】
【表１１】
2016523683.tif 000013
表11.高い重心を持つスチールシャフトによる一貫性のあるクラブギャッピングとなるように最適化された例示的なグラフクラブ
【００５６】
【表１２】
2016523683.tif 000014
表12.高い重心を持つグラファイトシャフトによる一貫性のあるクラブギャッピングとなるように最適化された例示的なゴルフクラブ
【００５７】
ゴルフクラブの長さを増加させること、および／またはゴルフクラブのセットのクラブヘッドの重量を増加させることは、有利には、アイアンタイプのゴルフクラブの間の多くのプレーヤーに対するより均一な、および／または一貫性のあるクラブギャッピングを円滑にすることができる。増加した重量および／または増加した長さは、アイアンタイプのゴルフクラブ、特に、ロングアイアンタイプのゴルフクラブに不慣れであるか、または打ち損ねたことにより失われる可能性のある飛距離を取り戻すことを可能にし得る。各シャフト上で重心をより高く位置決めすることによって、アイアンタイプのゴルフクラブのセットは、実質的に類似するスウィングウェイトを有することができ、これは、有利には、アイアンタイプのゴルフクラブ間で一貫性のある振った感触を得やすくし得る。追加の利点は、各クラブヘッドの増加された重量は、より高く打つようにクラブヘッドの重心を位置決めすることなどの、クラブヘッドの追加の最適化、または打ち損ないをもっと許容するように慣性を高めることを可能にし得る。
【００５８】
再び図面を参照すると、図７は、本開示によりゴルフクラブのセットおよび／またはシャフトのセットを実現し、形成し、および／または製造するために使用され得る、方法７００に対する流れ図を示している。方法７００は、単なる例にすぎず、本明細書で提示されている実施形態に限定されない。方法７００は、本明細書に特に図示または説明されていない多くの異なる実施形態もしくは例において採用され得る。いくつかの実施形態では、方法７００の手順、プロセス、および／または活動は、提示されている順序で実行され得る。他の実施形態では、方法７００の手順、プロセス、および／または活動は、好適な任意の順序で実行され得る。さらに他の実施形態では、方法７００の手順、プロセス、および／または活動のうちの１つまたは複数は、組み合わされるか、またはスキップされ得る。
【００５９】
図７００を参照すると、方法７００は、ゴルフクラブのセットを提供するためのブロック７１０を含み得る。多くの実施形態において、ゴルフクラブのセットは、ゴルフクラブ６００（図６）のセットに実質的に類似しているか、または同一であるものとしてよい。方法７００のゴルフクラブのセットは、２つ以上のゴルフクラブを含むものとしてよく、それぞれ、異なるロフト角を有するアイアンタイプ、ウェッジタイプ、またはハイブリッドタイプのゴルフクラブである。方法７００のゴルフクラブのセットの各ゴルフクラブは、ゴルフクラブ５００（図５）に類似しているか、または同一であるものとしてよい。方法７００のゴルフクラブのセットの各ゴルフクラブは、シャフトを備え得る。各シャフトは、シャフト１００（図１）および／またはシャフト４００（図４）に類似しているか、または同一であるものとしてよい。各シャフトは、先端、基端、中点、および重心を有する細長い本体であってよく、細長い本体は、先端と基端との間に延在する。重心は、先端よりも基端に近い位置に配置され、中点から基端までの距離の約６．０％以上である中点からの距離に配置され得る。いくつかの実施形態では、方法７００のゴルフクラブのセットは、各々異なるロフト角を有する３つ以上のゴルフクラブを含み得る。他の実施形態では、方法７００のゴルフクラブのセットは、各々異なるロフト角を有する４つ以上のゴルフクラブを含み得る。多数の実施形態において、方法７００のゴルフクラブのセットの各シャフトに対する重心は、中点から基端までの距離の約９．０％以上であるものとしてよい。さらなる実施形態において、方法７００のゴルフクラブのセットの各シャフトに対する重心は、中点から基端までの距離の約１１．０％以上であるものとしてよい。多くの実施形態において、方法７００のゴルフクラブのセットの各ゴルフクラブのスウィングウェイトは、同じであるか、または実質的に類似しているものとしてよい。
【００６０】
いくつかの実施形態では、請求項７００のゴルフクラブのセットは、１つまたは複数のサブプロセスを実行することによって実現され得る。ゴルフクラブのセットを実現することは、シャフトのセットを提供するブロック７２０を含み得る。シャフトのセットの各シャフトは、異なるロフト角を有するアイアンタイプ、ウェッジタイプ、またはハイブリッドタイプのゴルフクラブのために構成され得る。多くの実施形態において、ブロック７２０のシャフトのセットは、ブロック７１０に関連して上で説明されているように、２つ以上のシャフトを含むものとしてよく、アニーリング、鍛造、ミリング、機械加工、成形、および／またはプロセスを介して実現されるものとしてよく、シャフトの一部は、一体成形品であり得るか、または溶接、鑞付け、および／または接着剤を介してなど一緒に結合された複数の個片を備え得る。いくつかの実施形態では、スチールシャフトは、各シャフトの壁の厚さが、先端よりも基端で大きく、重心の位置が基端に近づくようにアニーリングを通じて実現され得る。他の実施形態では、グラファイトシャフトは、炭素繊維を織り、タングステンまたはスチールなどの充填剤材料を含浸することによって実現され、これにより、重心を基端により近く位置決めすることができる。いくつかの実施形態において、シャフトのセットを実現することは、トリムされていないシャフトを実現することを含み得る。いくつかの他の実施形態において、シャフトのセットを実現することは、各シャフトをアイアンタイプのゴルフクラブ内に組み付けるのに適した長さにトリムすることを含み得る。
【００６１】
ゴルフクラブのセットを提供する工程は、クラブヘッドのセットを提供するブロック７３０を含み得る。クラブヘッドのセットは、２つ以上のクラブヘッドを含み得る。クラブヘッドは、鋳造、鍛造、ミリング、機械加工、成形、および／またはプロセスを介して実現されるものとしてよい。
【００６２】
ゴルフクラブのセットを提供する工程は、クラブヘッドのセットの各クラブヘッドとシャフトのセットの各シャフトを組み立てるブロック７４０を含み得る。シャフトのセットの各シャフトおよびクラブヘッドのセットの各クラブヘッドは、溶接、鑞付け、接着剤、および／または他のプロセスを通じて組み立てられ得る。
【００６３】
一貫性のあるクラブギャッピングのために構成されたゴルフクラブおよびシャフトは、特定の実施形態を参照しつつ説明されているけれども、当業者であれば本開示の精神および範囲から逸脱することなく様々な変更を加えられることを理解するであろう。例えば、当業者であれば、図７のブロック７１０、７２０、７３０、および／または７４０は、多くの異なる手順、プロセス、および活動から構成され、多くの異なるモジュールによって、多くの異なる順序で実行され得ること、図１〜７の要素は、修正され得ること、ならびにそれらの実施形態のうちのいくつかの前述の説明は、必ずしも、可能なすべての実施形態の完全な説明をなしていないことを容易に理解するであろう。
【００６４】
ゴルフのルールはときどき変わるので（例えば、全米ゴルフ協会（ＵＳＧＡ）、ロイヤルアンドエンシェントゴルフクラブオブセントアンドリュース（Ｒ＆Ａ）などの、ゴルフ規格組織または管理機関が新しい規則を採用したり、または古いルールをなくしたり、または修正したりすることがある）、本明細書で説明されている製造の装置、方法、および物品に関係するゴルフ機器は、特定の時点におけるゴルフのルールに適合する場合も適合しない場合もあり得る。したがって、本明細書で説明されている製造の装置、方法、および物品に関係するゴルフ機器は、適合または不適合ゴルフ機器として公表されるか、または販売の申し込みがあるか、または販売され得る。本明細書で説明されている製造の装置、方法、および物品は、この点に限定されない。
【００６５】
上記の例は、アイアンタイプのゴルフクラブおよびハイブリッドタイプのゴルフクラブに関連して説明され得るが、本明細書で説明されている製造の装置、方法、および物品は、ウッドタイプのゴルフクラブまたはパタータイプのゴルフクラブなどの他のタイプのゴルフクラブにも適用可能であるものとしてよい。代替的に、本明細書で説明されている製造の装置、方法、および物品は、ホッケー用スティック、テニスラケット、釣り竿、スキーのストックなどの他のタイプのスポーツ用具にも適用可能であるものとしてよい。
【００６６】
そのような変更の追加の例は、前述の説明において与えられている。様々な図の特徴のうちの１つまたは複数を有する異なる実施形態の他の置換は、同様に企図される。したがって、実施形態の開示は、例示することを意図しており、制限することを意図していない。本開示の範囲は、付属の請求項で必要とされる範囲にのみ制限されるものとすることが意図される。
【００６７】
本明細書で説明されているゴルフクラブおよびシャフトは、様々な実施形態において実装されるものとしてよく、それらの実施形態のうちのいくつかの前述の説明は、必ずしも、可能なすべての実施形態の完全な説明をなしていない。むしろ、図面の詳細な説明、および図面それ自体は、少なくとも１つの好ましい実施形態を開示しており、代替的実施形態を開示することもある。
【００６８】
特定の請求項において請求されているすべての要素は、その特定の請求項において請求されている実施形態に本質的である。したがって、１つまたは複数の請求されている要素の代替えは、再構成をなし、修理ではない。それに加えて、利益、他の利点、および問題の解決手段は、特定の実施形態に関して説明されている。利益、利点、問題の解決手段、および利益、利点、もしくは解決手段をもたらし得るか、または顕著なものとし得る１つまたは複数の要素は、そのような利益、利点、問題の解決手段、または要素がそのような請求項において明示的に述べられていない限り、請求項のうちのどれか、またはすべての重大な、必要な、または不可欠な特徴もしくは要素として解釈されるべきでない。
【００６９】
さらに、本明細書で開示されている実施形態および制限は、それらの実施形態および／または制限が（１）請求項において明示的に請求されていない、ならびに（２）均等の原則の下で請求項における明示的な要素および／もしくは制限であるか、または潜在的に同等のものである場合に公有の原則の下で公共のものとして提供されない。
【図１】
2016523683.tif 000015
【図２】
2016523683.tif 000016
【図３】
2016523683.tif 000017
【図４】
2016523683.tif 000018
【図５】
2016523683.tif 000019
【図６】
2016523683.tif 000020
【図７】
2016523683.tif 000021
【国際調査報告】
2016523683.tif 000022
2016523683.tif 000023
2016523683.tif 000024